(57)【要約】      （修正有）【課題】刷毛の毛の束ね部分の形状に工夫を加える事で、刷毛の毛を形成する、毛の数量を大幅に削減でき、毛先の部分の吸収力を向上させ、さらに、毛先のしなりを柔らかく滑らかにする事で、長い時間塗布作業を行っていても、手や腕に掛かる負担を大幅に緩和でき、しかも、塗布作業後に刷毛の毛先の部分に付着した、塗材を除去する時間を大幅に短縮できるブラシを供給する。【解決手段】刷毛の毛の束ね部分１に、仕切り部分２を複数設ける事で、毛の束ね部分１より、毛先の部分の内部に同数の空洞状態３を生じることにより、この課題を解決する。【選択図】図１
2008295999.tif 000002
【特許請求の範囲】
【請求項１】
毛の束ね部分に仕切り部分を設けた事を特徴とする刷毛
【請求項２】
毛先の部分の内部に空洞部分を設けた事を特徴とする刷毛。
【発明の詳細な説明】
【技術分野】
【０００１】  本発明は、刷毛に関するものである、刷毛の毛の束ね部分の形状に工夫を加える事で、刷毛の毛を形成する、毛の数量を大幅に削減でき、毛先の部分の吸収力を向上させ、さらに、毛先のしなりを柔らかく滑らかにする事で、長い時間塗布作業を行っていても、手や腕に掛かる負担を大幅に緩和でき、しかも、塗布作業後に刷毛の毛先の部分に付着した、塗材を除去する時間を大幅に短縮できるものである。
【背景技術】
【０００２】  従来から、刷毛の毛の形状は、毛をひとつに束ね、それを、縛り柄に取り付け、毛先の部分に生ずる毛細現象を用いて、そこに、塗材を吸収させ、塗面に塗材を塗布することを目的とするものである。
そのため、毛の束ね部分の径が大きい刷毛は、毛の束ね部分に近い所の毛の部分は、毛先の部分より毛の密度が濃く、非常に固くなるため、毛先の部分の吸収力、ならびに、毛先の部分のしなりを向上させるためには、どうしても毛全体を、特別に、長くしなければならなかった。
だから、長い時間塗布作業を行っていると、毛の束ね部分に近い所の毛の部分の押し合う度合いが大きいため、刷毛の毛先のしなりが重く、手や腕に掛かる負担が大きく大変疲れるものであった。
さらに、塗布作業に用いた刷毛の毛先の部分に付着した塗材を除去する時、特に毛の束ね部分に近い所の毛の部分に付着した、塗材を除去する作業に長い時間を要した。
また、刷毛の毛の束ね部分に近い所の毛に付着した塗材の除去が悪いと、その部分に残った塗材が硬化する事で、毛の束ね部分に近い所の毛の部分が膨らみ、そのため、毛先の部分が広がり過ぎて、毛細現象が生じなくなり使用できず処分する事が多かった。
しかも、長い時間塗布作業に用いていると、毛先の部分は外周部分より徐々に磨り癖、中央部分の毛の部分は、粗そのままの状態であるにも拘わらず処分されていた。
【発明の開示】
【発明が解決しようとする課題】
【０００３】  したがって、従来の刷毛の形状では、上記の如く、非常に不便である。
本発明は、このような、刷毛の毛の束ね部分より、毛先の部分の不都合を解決する事を課題とする。
【課題を解決するための手段】
【０００４】  この課題を解決するための請求項１の発明は、刷毛の毛の束ね部分の、中央部分とその外側部分に複数の仕切り部分を設ける事で、毛の束ね部分より、毛先の部分の内部に同数の空洞状態が生じる事を特徴とする刷毛である。
刷毛の毛の束ね部分の径が大きいものは、毛の束ね部分に、仕切り部分を中央部分とその外側部分に複数設ける事で、毛の束ね部分より、毛先の部分の内部に同数の空洞状態が生じるため、刷毛の毛先の部分が塗材を吸収する力は非常に良くなる、さらに、刷毛の毛先のしなりも柔らかく滑らかになる。
しかも、塗布作業後に毛先に付着した塗材を除去する時に、刷毛の毛の束ね部分まで、除去材が素早く行き届く事で、毛の束ね部分に近い所の毛に付着した、塗材を除去する時間を大幅に短縮でき完全に塗材の除去が出きる様になる。【０００５】  また、請求項２の発明は、刷毛の毛の束ね部分より、毛先の部分の内部に、空洞状態を生じさせる事を特徴とする刷毛である。
刷毛の毛の束ね部分の径が小さいものは、毛の束ね部分の中央部分に仕切り部分を設ける事で、毛の束ね部分より、毛先の内部の中央部分に空洞状態が生じる事で、そこに、塗材が入り込み、それを、廻りの毛が包み込むように働くため、刷毛の毛先の内部の中央部分に、毛を設けずとも、塗材を吸収する力は非常に良くなるものである。
【発明の効果】
【０００６】  本発明により、刷毛の毛の束ね部分に仕切り部分を設ける事で、毛の束ね部分より毛先の部分の内部に仕切り部分と同数の空洞状態が生じる事で、そこに、塗材が入り込み、廻りの毛が、それを、包み込む様に働くため、刷毛の毛先の部分が塗材を吸収する力は非常に良くなる。
だから、刷毛の毛の束ね部分の中央部分、並びに、その外側部分に複数の仕切り部分を設ける事で、それと、同数の空洞状態を毛の束ね部分より毛先の部分の内部に生じさせる事で、そこの部分に毛が存在する時よりも、刷毛の毛先の吸収力、並びに、しなりは非常に向上する、そのため、毛を設けなくとも良くなる。
しかも、毛の束ね部分に、仕切り部分を設ける事で、同じ径の大きさの刷毛の毛の部分を作成するとするならば、毛の部分を形成する、毛の数量を大幅に削減できる。
さらに、刷毛の毛の束ね部分に、仕切り部分を設ける事で、毛の束ね部分より毛先の部分の内部に同数の空洞状態が生じる事で、塗布作業を行う時に、毛の束ね部分に近い所の毛の押し合う度合いが非常に小さくなるため、刷毛の毛先の部分のしなりは大変柔らかく非常に滑らかになる、そのため、長い時間塗布作業を行っていても、手や腕にかかる負担は大幅に緩和され非常に疲れにくくなる。
さらに、刷毛の毛先の吸収力、及び、しなりが向上するため、塗布作業時に、塗材の飛散、塗材の刷毛垂れが大幅に減少する、なお、長い時間塗布作業に用いてもいる間に、刷毛の毛の外周部分からの磨り癖率も遅くなる。
しかも、刷毛の毛の束ね部分に仕切り部分を設ける事で、毛の束ね部分より、毛先の部分の内部に同数の空洞状態が生じる事で、塗布作業後、毛先の部分に付着した塗材を除去する作業の時に、除去材が素早く毛の束ね部分にまで行き届くために、刷毛の毛先の部分に残った塗材を除去する作業時間を大幅に短縮できる。
さらに、除去材が素早く刷毛の毛の束ね部分にまで行き届く事で、毛の束ね部分に近い所の毛の内部に付着した、塗材をも短時間で完全に除去できる様になるため、刷毛の毛の束ね部分に近い所の毛の部分が膨らむ様な事はなくなる。
しかも、毛の束ね部分の径が大きい刷毛でも、毛の束ね部分に仕切り部分を設ける事で、毛の束ね部分より、毛先の部分の内部に空洞状態が生じるため、毛全体を、特別に、長いものにしなくても、刷毛の毛先の部分が塗材を吸収する力が非常に良くなる、さらに、毛先のしなりは大変柔らかく非常に滑らかになる。
だから、刷毛の毛の束ね部分の径の大小に合わせて、毛の束ね部分の仕切り部分の数を増減する事で、毛の束ね部分より、毛先の部分の内部に同数の空洞状態が生じるため同じ作用がえられる。
【発明を実地するための最良の形態】
【０００７】  図１は、毛の束ね部分の径が大きい刷毛の、毛の束ね部分の中央部分と、その外側部分に、複数の仕切り部分を設ける事で、毛の束ね部分より、毛先の内部に同数の空洞状態を生じさせた刷毛の毛の断面図である、同図に示すように、刷毛の毛の束ね部分に仕切り部分を設ける事で、毛の束ね部分より、毛先の部分の内部に同数の空洞状態を生じさせる事で、毛の束ね部分に近い所の毛の押し合う度合いが小さくなるため、おのずと、刷毛の毛先のしなりは柔らかく非常に滑らかになる、そのため、長い時間塗布作業に用いている間に、毛の外周部分からの磨り癖率が遅くなる。
さらに、長い時間塗布作業を行っていても、手や腕にかかる負担は大幅に緩和できる。
【０００８】  図２は、毛の束ね部分の径が小さい刷毛の、毛の束ね部分の中央部分に、仕切り部分を設ける事で、毛先の内部の中央部分に空洞状態を生じさせた刷毛の毛の断面図である、同図に示すように、刷毛の毛の束ね部分の中央部分に仕切り部分を設ける事で、毛の束ね部分より、毛先の内部の中央部分に空洞状態が生じる事で、そこに、塗材が入り込み、廻りの毛が、それを、包み込むように働くため、刷毛の毛の束ね部分より、毛先の部分の中央部分に、毛の部分を設けなくても、毛先の部分は塗材を吸収する力は非常に良くなる。
【０００９】  図３は、毛の径が大きい刷毛の、毛の束ね部分に複数の仕切り部分を、短い毛で形成して、毛の束ね部分より、毛先の部分の内部に空洞状態を複数生じさせた刷毛の毛の断面図である、図１と同じ作用がある。
【００１０】  刷毛の毛の束ね部分の、仕切り部分の形状を、筒を連結、円柱を連結、帯状で設ける、それらを、中央部分から渦巻き状に設けてもよい。
また、仕切り部分を境に、一層ずつ毛の材質を変えて形成してもよい。
【産業上の利用可能性】
【００１１】  本発明に係る刷毛は、工業的に量産する事が可能であるため、産業上の利用可能性を有す。
【図面の簡単な説明】
【００１２】
【図１】  毛の束ね部分の径が大きい刷毛の毛の束ね部分の、中央部分とその外側部分に複数の仕切り部分を設ける事で、毛先の部分の内部に空洞状態を生じさせた刷毛の毛の断面図である。
【図２】  毛の束ね部分の径が小さい刷毛の毛の束ね部分の、中央部分に仕切り部分を設ける事で、毛先の部分の内部に空洞状態を生じさせた刷毛の毛の断面図である。
【図３】  毛の径が大きい刷毛の、毛の束ね部分の仕切り部分を、短い毛で形成して、毛先の部分の内部に空洞状態を生じさせた刷毛の毛の断面図である。
【符号の説明】
【００１３】  １    毛の束ね部
２    仕切り部
３    空洞部
４    毛先部
５    束ね帯
６    結束線
７    柄
【図１】
2008295999.tif 000003
【図２】
2008295999.tif 000004
【図３】
2008295999.tif 000005
【手続補正書】
【提出日】平成19年10月3日(2007.10.3)
【手続補正１】
【補正対象書類名】明細書
【補正対象項目名】全文
【補正方法】変更
【補正の内容】
【発明の詳細な説明】
【産業上の分野】
【技術分野】
【０００１】  本発明は、刷毛に関するものである、刷毛の毛の束ね部分の形状に工夫を加える事で、刷毛の毛を形成する、毛の数量を大幅に削減でき、毛の束ね部分より毛先の部分の塗材を吸収する力を向上させ、さらに、毛先のしなりを柔らかく滑らかにする事で、長い時間塗布作業を行っていても、手や腕に掛かる力の負担を大幅に緩和でき、しかも、塗布作業後に、刷毛の毛の束ね部分の近い所の毛の内部、及び、毛先の部分の内部に付着した、塗材を除去する時間を大幅に短縮でき、しかも、毛の束ね部分より、毛先の部分の内部に付着した塗材を完全に除去できるようにしたものである。
【背景技術】
【０００２】  従来から、刷毛の構成は、毛を束ね帯で束ねた毛を、割り広げた柄に挟み込み、結束線を用いて、柄に縛り取り付け、毛先に生じる毛細現象を用いて、そこに、塗材を吸収させ、塗面に塗材を塗布する事を目的とするものであった。
そのため、毛の束ね部分の径が大きい刷毛は、毛の束ね部分に近い所の毛の部分が、毛先の部分より毛の密度が濃く、非常に固くなるため、毛の束ね部分より、毛先の部分の塗材を吸収する力、ならびに、毛先の部分のしなりを向上させるためには、どうしても毛全体を、特別に、長くしなければならなかった。
だから、長い時間塗布作業を行っていると、毛の束ね部分に近い所の毛の部分の押し合う度合いが大きいため、刷毛のしなりが固く、毛先部分の動きは重くなり、手や腕に掛かる力の負担が大きく、大変疲れるものであった。
さらに、塗布作業に用いた刷毛の毛の束ね部分より、毛先の部分に付着した塗材を除去する時、特に毛の束ね部分に近い所の毛に付着した、塗材を除去する作業に長い時間を要し大変苦労するものであった。
また、刷毛の毛の束ね部分に近い所の毛の内部に付着した、塗材の除去が完全に出来ない事が多く、その部分に残った塗材が硬化するため、毛の束ね部分に近い所の毛が膨らみ、毛先の部分が大きく広がり過ぎて、毛先の部分に毛細現象が生じなくなり使用できず処分する事が多かった。
また、長く塗布作業に使用できたとしても、毛先の部分は外周部分より徐々に磨り減り、中央部分の毛の部分は、粗そのままの状態であるにも拘わらず処分されていた。
【発明の開示】
【発明が解決しようとする課題】
【０００３】  したがって、従来の刷毛の形状では、上記の如く、非常に不便であった。
本発明は、このような、刷毛の毛の束ね部分より、毛先の部分の不都合を解決する事を課題とする。
【課題を解決するための手段】
【０００４】  この課題を解決するための請求項１の発明は、刷毛の毛の束ね部分の、中央部分とその外側部分に複数の仕切り部分を設ける事で、毛の束ね部分より、毛先の部分の内部に同数の空洞状態が生じる事を特徴とする刷毛である。
刷毛の毛の束ね部分の径が大きいものは、毛の束ね部分に、仕切り部分を中央部分とその外側部分に複数設ける事で、毛の束ね部分より、毛先の部分の内部に同数の空洞状態が生じるため、刷毛の毛先の部分が塗材を吸収する力は非常に良くなる、さらに、刷毛の毛先のしなりも柔らかく滑らかになる。
しかも、塗布作業後に、毛先に付着した塗材を除去する時に、刷毛の毛の束ね部分まで、除去材が素早く行き届く為、毛の束ね部分に近い所の毛の内部に付着した、塗材を除去する時間を大幅に短縮でき、完全に塗材の除去ができるようになる。【０００５】  また、請求項２の発明は、刷毛の毛の束ね部分より、毛先の部分の内部に、空洞状態を生じさせる事を特徴とする刷毛である。
刷毛の毛の束ね部分の径が小さいものは、毛の束ね部分の中央部分に仕切り部分を設ける事で、毛の束ね部分より、毛先の内部の中央部分に空洞状態が生じる事で、そこに、塗材が入り込み、それを、廻りの毛が包み込むように働くため、刷毛の毛先の内部の中央部分に、毛を設けずとも、塗材を吸収する力は非常によくなる。
【発明の効果】
【０００６】  本発明により、刷毛の毛の束ね部分に仕切り部分を設ける事で、毛の束ね部分より毛先の部分の内部に仕切り部分と同数の空洞状態が生じる事で、そこに、塗材が入り込み、廻りの毛が、それを、包み込むように働くため、刷毛の毛先の部分が塗材を吸収する力は非常によくなる。
だから、刷毛の毛の束ね部分の中央部分、並びに、その外側部分に複数の仕切り部分を設ける事で、それと、同数の空洞状態を毛の束ね部分より毛先の部分の内部に生じさせる事で、その部分に毛が存在する時よりも、刷毛の毛先が塗材を吸収する力、並びに、しなりは非常に向上する。
さらに、毛の束ね部分に、仕切り部分を設ける事で、同じ径の大きさの刷毛の毛の部分を作成するとするならば、毛の部分を形成する毛の数量を大幅に削減できる。
しかも、刷毛の毛の束ね部分に、仕切り部分を設ける事で、毛の束ね部分が大きい径の刷毛でも、毛先の部分の内部に同数の空洞状態が生じる事で、毛の部分が塗材を吸収する力、及び、毛先のしなりは非常に向上する為、毛全体を、特別に、長くする必要は無くなる。
さらに、刷毛の毛の束ね部分に、仕切り部分を設ける事で、毛の束ね部分より毛先の部分の内部に同数の空洞状態が生じる事で、塗布作業を行う時に、毛の束ね部分に近い所の毛の押し合う度合いが小さくなるため、刷毛の毛先の部分のしなりは大変柔らかく非常に滑らかになる、そのため、長い時間塗布作業を行っていても、手や腕に掛かる力の負担は大幅に緩和される為、非常に疲れにくくなる。
しかも、刷毛の毛先が塗材を吸収する力、及び、しなりが向上する為、塗布作業時に、塗材の飛散、塗材の刷毛垂れが大幅に減少する、なお、長い時間塗布作業に用いている間に、毛先の外周からの磨り減りも遅くなる。
さらに、刷毛の毛の束ね部分に仕切り部分を設ける事で、毛の束ね部分より、毛先部分の内部に同数の空洞状態が生じる事で、塗布作業後、毛先の部分に付着した塗材を除去する作業時に、除去材が素早く毛の束ね部分にまで行き届く為、刷毛の毛の束ね部分に近い所の毛の部分に残った塗材まで完全に除去でき、しかも、作業時間を大幅に短縮できる。
だから、刷毛の毛の束ね部分に近い所の毛の部分に付着した、塗材を完全に除去できる事で、刷毛の毛の束ね部分に近い毛の部分が膨れる事はなくなるため、毛先の部分は、毛がちびるまで毛細現象は働く、だから、長時間使用可能となる。
しかも、刷毛の毛の束ね部分の径の大小に合せて、毛の束ね部分の仕切り部分の数を増減する事で、毛の束ね部分より、毛先の部分の内部に同数の空洞状態が生じるため同じ作用が得られる。
【発明が実施するための最良の形態】
【０００７】  図１は、毛の束ねの部分の径の大きい刷毛の、毛の束ね部分の中央部分と、その外側部分に、複数の仕切り部分を設ける事で、毛の束ね部分より、毛先の内部に同数の空洞状態を生じさせた刷毛の断面図である、同図に示すように、刷毛の毛の束ね部分に仕切り部分を設ける事で、毛の束ね部分より、毛先の部分の内部に同数の空洞状態を生じさせる事で、毛の束ね部分に近い部分の毛の押し合う度合いが小さくなるため、おのずと、刷毛の毛先のしなりは柔らかく非常に滑らかになる、そのため、長い時間塗布作業に用いていても、毛の外周部分から磨り減る率が非常に遅くなる。
さらに、長い時間塗布作業を行っていても、手や腕に掛かる力の負担は大幅に緩和される。
【０００８】  図２は、毛の束ね部分の径が小さい刷毛の、毛の束ね部分の中央部分に、仕切り部分を設ける事で、毛先の内部の中央部分に空洞状態を生じさせた刷毛の毛の断面図である、同図に示すように、刷毛の毛の束ね部分の中央部分に仕切り部分を設ける事で、毛の束ね部分より、毛先の中央部分に空洞状態が生じる事で、そこの、塗材が入り込み、廻りの毛が、それを、包み込むように働くため、刷毛の毛の束ね部分より、毛先の部分の中央部分に、毛の部分を設けなくても、毛先の部分は塗材を吸収する力は非常に良くなる。
【０００９】  図３は、毛の束ね部分の径が大きい刷毛の、毛の束ね部分に複数の仕切り部分を、短い毛で形成して、毛の束ね部分より、毛先の部分の内部に空洞状態を複数生じさせた刷毛の毛の断面図である、図１と同じ作用がある。
【００１０】  刷毛の毛の束ね部分の、仕切り部分の形状を筒を連結、円柱を連結、帯状で設ける、それを、中央部分から渦巻き状に設けてもよい。
また、仕切り部分を境に、一層ずつ毛の材質を変えて形成してもよい。
【産業上の利用可能性】
【００１１】  本発明に係る刷毛は、工業的に量産する事が可能であるから為、産業上の利用可能性を有す。
【図面の簡単な説明】
【００１２】
【図１】  毛の束ね部分の径が大きい刷毛の毛の束ね部分の、中央部分とその外側部分に複数の仕切り部分を設ける事で、毛先の部分の内部に空洞状態を生じさせた刷毛の毛の断面図である。
【図２】  毛の束ね部分の径が小さい刷毛の毛の束ね部分の、中央部分に仕切り部分を設ける事で、毛先の部分の内部に空洞状態を生じさせた刷毛の毛断面図である。
【図３】  毛の束ね部分の径が大きい刷毛の毛の束ね部分の仕切り部分を、短い毛で形成して、毛先の部分の内部に空洞状態を生じさせた刷毛の毛の断面図である。
【記号の説明】
【００１３】  １    毛の束ね部
２    仕切り部
３    空洞部
４    毛先部
５    束ね帯
６    結束線
７    柄